(57)【要約】【課題】導光板を使用せずに光源から出た光を表示パネルの全体に均一に伝達することができる表示装置を提供する。【解決手段】本発明の表示装置は、表示パネルと、表示パネルに光を供給するバックライトアセンブリと、バックライトアセンブリを収納する下部カバーと、を備え、バックライトアセンブリは、光源と、光源を実装する回路基板と、回路基板に結合されて光源から出る光を反射する曲げられた板状の部材からなる反射カバーと、を含む。【選択図】図２
2013191563.tif 000002
【特許請求の範囲】
【請求項１】
表示パネルと、
前記表示パネルに光を供給するバックライトアセンブリと、
前記バックライトアセンブリを収納する下部カバーと、を備え、
前記バックライトアセンブリは、
光源と、
前記光源を実装する回路基板と、
前記回路基板に結合されて前記光源から出る光を反射する曲げられた板状の部材からなる反射カバーと、を含むことを特徴とする表示装置。
【請求項２】
前記反射カバーは、
前記光源から出る光の主出射方向の上側及び下側を囲むように形成された第１反射部及び第２反射部と、
前記第１反射部及び前記第２反射部を連結する連結部と、を含むことを特徴とする請求項１に記載の表示装置。
【請求項３】
前記第１反射部及び前記第２反射部は、
前記光の出射方向に平行な断面で、前記第２反射部の長さが前記第１反射部の長さより長いことを特徴とする請求項２に記載の表示装置。
【請求項４】
前記反射カバーの前記連結部は前記回路基板に結合され、
前記連結部は前記光源が実装される位置に形成された前記光源の大きさと同一又は更に大きな開口部を含み、
前記開口部によって前記光源が露出することを特徴とする請求項２に記載の表示装置。
【請求項５】
前記反射カバーの前記連結部及び前記回路基板を貫通して前記反射カバーと前記回路基板とを結合する第１締結部材を更に含むことを特徴とする請求項４に記載の表示装置。
【請求項６】
前記反射カバーと前記回路基板との間に形成される放熱部材を更に含むことを特徴とする請求項４に記載の表示装置。
【請求項７】
前記反射カバーの第２反射部に一部重畳して形成され、前記反射カバーに重畳しない部分で少なくとも１回折り曲げられた形状の折曲部を有する反射板を更に含むことを特徴とする請求項２に記載の表示装置。
【請求項８】
前記反射カバーの第２反射部及び前記反射板を貫通して前記反射カバーと前記反射板とを結合する第２締結部材を更に含むことを特徴とする請求項７に記載の表示装置。
【請求項９】
前記第１反射部及び前記第２反射部は、
前記光の出射方向に平行な断面で、一つの放物線上に位置するように形成され、
前記放物線は、（ｙ−β）２＝４ｐ（ｘ−α）（ｘ軸は前記光の主出射方向であり、ｙ軸はｘ軸に垂直な方向であり、βは放物線の中心と焦点との距離であり、αは放物線焦点のｘ座標であり、ｐは放物線の曲率である）式で表され、
前記連結部は前記ｙ軸に平行な方向に形成されることを特徴とする請求項２に記載の表示装置。
【請求項１０】
前記下部カバーの側面は、
前記回路基板が結合される第１側面と、
前記第１側面に対向する第２側面と、を含み、
前記下部カバーの底面は、
前記第１側面に連結される第１底面と、
前記第１底面より前記第１側面の上端部からの深さが更に深く形成される第２底面と、
前記第１底面と前記第２底面とを連結する第１傾斜部と、
前記第２底面から延長されて前記第２底面から遠くなるほど前記第１側面の上端部からの深さが更に浅くなるように形成された第２傾斜部と、を含み、
前記第１底面と前記第１傾斜部とが接する第１折曲部は、前記反射カバーの前記第２反射部を支持することを特徴とする請求項２に記載の表示装置。
【請求項１１】
前記第１側面から前記第２底面と前記第２傾斜部とが接する第２折曲部までの長さは、前記第１側面から前記第２側面までの長さの０．２倍以上であり０．５倍以下であることを特徴とする請求項１０に記載の表示装置。
【請求項１２】
前記第１側面から前記第２底面と前記第２傾斜部とが接する第２折曲部までの長さは、前記第１側面から前記第２側面までの長さの０．３倍以上であり０．４倍以下であることを特徴とする請求項１１に記載の表示装置。
【請求項１３】
前記反射カバーの第２反射部に一部重畳して形成され、前記反射カバーに重畳しない部分で少なくとも１回以上折り曲げられた形状の折曲部を有する反射板を更に含むことを特徴とする請求項１０に記載の表示装置。
【請求項１４】
前記反射板は、
前記下部カバー上に形成され、
前記第２底面と前記第２傾斜部とが接する第２折曲部、及び前記第２傾斜部と前記第２側面とが接する第３折曲部で折り曲げられる形状を有することを特徴とする請求項１３に記載の表示装置。
【請求項１５】
前記回路基板は、前記下部カバーの前記側面のうちの互いに対向する二つの側面に結合され、
前記二つの側面の間の中央部から前記二つの側面に近くなるほど前記表示パネルとの距離が遠くなる形状を有する反射板を更に含むことを特徴とする請求項２に記載の表示装置。
【請求項１６】
前記回路基板は、前記下部カバーの前記側面の全体に結合され、
前記下部カバーの中央部から前記側面に近くなるほど前記表示パネルとの距離が遠くなる形状を有する反射板を更に含むことを特徴とする請求項２に記載の表示装置。
【請求項１７】
前記下部カバーは、底面及び該底面から延長されて折り曲げられた側面を含み、
前記回路基板は、前記下部カバーの前記側面のうちのいずれか一つ以上に結合され、
前記反射カバーは、前記下部カバーの前記底面に結合されることを特徴とする請求項１に記載の表示装置。
【請求項１８】
前記反射カバーは、
前記光源から出る光の主出射方向の上側及び下側を囲むように形成された第１反射部及び第２反射部と、
前記第１反射部及び前記第２反射部を連結する連結部と、を含むことを特徴とする請求項１７に記載の表示装置。
【請求項１９】
前記第１反射部及び前記第２反射部は、
前記光の出射方向に平行な断面で、前記第２反射部の長さが前記第１反射部の長さより長いことを特徴とする請求項１８に記載の表示装置。
【請求項２０】
前記反射カバーの第２反射部に一部重畳して形成され、前記反射カバーに重畳しない部分で少なくとも１回折り曲げられた形状の折曲部を有する反射板を更に含むことを特徴とする請求項１８に記載の表示装置。
【請求項２１】
前記反射カバー及び前記下部カバーは一体形に形成され、
前記下部カバーは、反射板として少なくとも１回以上折り曲げられた形状の折曲部を有することを特徴とする請求項２に記載の表示装置。
【請求項２２】
前記連結部から前記反射板の折曲部までの長さは、前記連結部から前記反射板の端部までの長さの０．２倍以上であり０．５倍以下であることを特徴とする請求項７、１３、２０、又は２１のいずれかに記載の表示装置。
【請求項２３】
前記連結部から前記反射板の折曲部までの長さは、前記連結部から前記反射板の端部までの長さの０．３倍以上であり０．４倍以下であることを特徴とする請求項２２に記載の表示装置。
【請求項２４】
前記光源から出る光の主出射方向は、前記表示パネルと０度超過２０度以下の角をなすことを特徴とする請求項１に記載の表示装置。
【請求項２５】
前記下部カバーと前記回路基板とが結合される面がなす角は、０度超過２０度以下であることを特徴とする請求項２４に記載の表示装置。
【請求項２６】
前記下部カバーと前記回路基板とが結合される面がなす角は、１０度超過１５度以下であることを特徴とする請求項２５に記載の表示装置。
【発明の詳細な説明】
【技術分野】
【０００１】
本発明は、表示装置に関し、より詳しくは、導光板を使用せずに光源から出た光を表示パネルの全体に均一に伝達する表示装置に関する。
【背景技術】
【０００２】
最近幅広く利用されるコンピュータモニタ、テレビ、携帯電話などには表示装置が必要である。表示装置には陰極線管表示装置、液晶表示装置、プラズマ表示装置などがある。
【０００３】
液晶表示装置は、現在最も幅広く使用されている平板表示装置のうちの一つであって、画素電極と、共通電極などの電場生成電極が形成される二枚の表示板と、その間に挟持されている液晶層とからなり、電場生成電極に電圧を印加して液晶層に電場を生成し、これによって液晶層の液晶分子の配向を決定し、入射光の偏光を制御することによって映像を表示する。
【０００４】
このような液晶表示装置は、自ら発光できないために光源を必要とする。光源は別途設けられた人工光源又は自然光源を利用することができ、人工光源の場合、発生した光が表示板の全体に均一な輝度をもって達するようにする導光板（ＬＧＰ：Ｌｉｇｈｔ  Ｇｕｉｄｅ  Ｐｌａｔｅ）を必要とする。
【０００５】
導光板は光源で発生する熱による変形にぜい弱であるという問題点がある。また、導光板の製造にかかる費用が高く、表示装置の製造単価を高くするという問題点がある。
【発明の概要】
【発明が解決しようとする課題】
【０００６】
本発明は、上記従来の問題点に鑑みてなされたものであって、本発明の目的は、導光板を使用せずに光源から出た光を表示パネルの全体に均一に伝達する表示装置を提供することにある。
【課題を解決するための手段】
【０００７】
上記目的を達成するためになされた本発明の一態様による表示装置は、表示パネルと、前記表示パネルに光を供給するバックライトアセンブリと、前記バックライトアセンブリを収納する下部カバーと、を備え、前記バックライトアセンブリは、光源と、前記光源を実装する回路基板と、前記回路基板に結合されて前記光源から出る光を反射する曲げられた板状の部材からなる反射カバーと、を含むことを特徴とする。
【０００８】
前記反射カバーは、前記光源から出る光の主出射方向の上側及び下側を囲むように形成された第１反射部及び第２反射部と、前記第１反射部及び前記第２反射部を連結する連結部と、を含み得る。
前記第１反射部及び前記第２反射部は、前記光の出射方向に平行な断面で、前記第２反射部の長さが前記第１反射部の長さより長く形成され得る。
前記反射カバーの前記連結部は前記回路基板に結合され、前記連結部は前記光源が実装される位置に形成された前記光源の大きさと同一又は更に大きな開口部を含み、前記開口部によって前記光源が露出し得る。
前記反射カバーの前記連結部及び前記回路基板を貫通して前記反射カバーと前記回路基板とを結合する第１締結部材を更に含むことができる。
前記反射カバーと前記回路基板との間に形成される放熱部材を更に含むことができる。
前記反射カバーの第２反射部に一部重畳して形成され、前記反射カバーに重畳しない部分で少なくとも一回折り曲げられた形状の折曲部を有する反射板を更に含むことができる。
前記連結部から前記反射板の折曲部までの長さは、前記連結部から前記反射板の端部までの長さの０．２倍以上であり０．５倍以下であり得る。
前記連結部から前記反射板の折曲部までの長さは、前記連結部から前記反射板の端部までの長さの０．３倍以上であり０．４倍以下であり得る。
前記反射カバーの第２反射部及び前記反射板を貫通して前記反射カバーと前記反射板とを結合する第２締結部材を更に含むことができる。
前記第１反射部及び前記第２反射部は、前記光の出射方向に平行な断面で、一つの放物線上に位置するように形成され、前記放物線は、（ｙ−β）２＝４ｐ（ｘ−α）（ｘ軸は前記光の主出射方向であり、ｙ軸はｘ軸に垂直な方向であり、βは放物線の中心と焦点との距離であり、αは放物線焦点のｘ座標であり、ｐは放物線の曲率である）式で表され、前記連結部は前記ｙ軸に平行な方向に形成され得る。
【０００９】
前記下部カバーの側面は、前記回路基板が結合される第１側面と、前記第１側面に対向する第２側面と、を含み、前記下部カバーの底面は、前記第１側面に連結される第１底面と、前記第１底面より前記第１側面の上端部からの深さが更に深く形成される第２底面と、前記第１底面と前記第２底面とを連結する第１傾斜部と、前記第２底面から延長されて前記第２底面から遠くなるほど前記第１側面の上端部からの深さが更に浅くなるように形成された第２傾斜部と、を含み、前記第１底面と前記第１傾斜部とが接する第１折曲部は、前記反射カバーの前記第２反射部を支持し得る。
前記第１側面から前記第２底面と前記第２傾斜部とが接する第２折曲部までの長さは、前記第１側面から前記第２側面までの長さの０．２倍以上であり０．５倍以下であり得る。
前記第１側面から前記第２底面と前記第２傾斜部とが接する第２折曲部までの長さは、前記第１側面から前記第２側面までの長さの０．３倍以上であり０．４倍以下であり得る。
前記反射カバーの第２反射部に一部重畳して形成され、前記反射カバーに重畳しない部分で少なくとも１回以上折り曲げられた形状の折曲部を有する反射板を更に含むことができる。
前記連結部から前記反射板の折曲部までの長さは、前記連結部から前記反射板の端部までの長さの０．２倍以上であり０．５倍以下であり得る。
前記連結部から前記反射板の折曲部までの長さは、前記連結部から前記反射板の端部までの長さの０．３倍以上であり０．４倍以下であり得る。
前記反射板は、前記下部カバー上に形成され、前記第２底面と前記第２傾斜部とが接する第２折曲部、及び前記第２傾斜部と前記第２側面とが接する第３折曲部で折り曲げられる形状を有し得る。
【００１０】
前記回路基板は、前記下部カバーの前記側面のうちの互いに対向する二つの側面に結合され、前記二つの側面の間の中央部から前記二つの側面に近くなるほど前記表示パネルとの距離が遠くなる形状を有する反射板を更に含むことができる。
前記回路基板は、前記下部カバーの前記側面の全体に結合され、前記下部カバーの中央部から前記側面に近くなるほど前記表示パネルとの距離が遠くなる形状を有する反射板を更に含むことができる。
【００１１】
前記下部カバーは、底面及び該底面から延長されて折り曲げられた側面を含み、前記回路基板は、前記下部カバーの前記側面のうちのいずれか一つ以上に結合され、前記反射カバーは、前記下部カバーの前記底面に結合され得る。
前記反射カバーは、前記光源から出る光の主出射方向の上側及び下側を囲むように形成された第１反射部及び第２反射部と、前記第１反射部及び前記第２反射部を連結する連結部と、を含み得る。
前記第１反射部及び前記第２反射部は、前記光の出射方向に平行な断面で、前記第２反射部の長さが前記第１反射部の長さより長く形成され得る。
前記反射カバーの第２反射部に一部重畳して形成され、前記反射カバーに重畳しない部分で少なくとも一回折り曲げられた形状を有する反射板を更に含むことができる。
前記連結部から前記反射板の折曲部までの長さは、前記連結部から前記反射板の端部までの長さの０．２倍以上であり０．５倍以下であり得る。
前記連結部から前記反射板の折曲部までの長さは、前記連結部から前記反射板の端部までの長さの０．３倍以上であり０．４倍以下であり得る。
【００１２】
前記反射カバー及び前記下部カバーは一体形に形成され、前記下部カバーは、反射板として少なくとも１回以上折り曲げられた形状の折曲部を有し得る。
前記連結部から前記反射板の折曲部までの長さは、前記連結部から前記反射板の端部までの長さの０．２倍以上であり０．５倍以下であり得る。
前記連結部から前記反射板の折曲部までの長さは、前記連結部から前記反射板の端部までの長さの０．３倍以上であり０．４倍以下であり得る。
【００１３】
前記光源から出る光の主出射方向は、前記表示パネルと０度超過２０度以下の角をなすように形成され得る。
前記下部カバーと前記回路基板とが結合される面がなす角は、０度超過２０度以下であり得る。
前記下部カバーと前記回路基板とが結合される面がなす角は、１０度超過１５度以下であってもよい。
【発明の効果】
【００１４】
本発明の表示装置によれば、光源を実装する回路基板に結合されて光を反射させることができ、板状の部材からなる反射カバーを形成することによって、導光板を使用しなくても光源から出た光を表示パネルの全体に均一に伝達することができる。
また、薄い板状の部材で反射カバーを形成することによって、製造費用を減らすことができる。
また、反射カバーの上側領域の少なくとも一部を透明樹脂モールドで形成することによって、光源部から出た熱が表示パネルに伝達されることを防止することができる。
【図面の簡単な説明】
【００１５】
【図１】本発明の第１実施形態による表示装置を示す分解斜視図である。
【図２】図１のＩＩ−ＩＩ線に沿って示す本発明の第１実施形態による表示装置を示す断面図である。
【図３】図２のＡ部分を拡大して示す拡大断面図である。
【図４】図３と同一の切断面を含む拡大斜視図である。
【図５】本発明の第１実施形態による表示装置の反射カバーの形状をｘ軸及びｙ軸と共に示した図である。
【図６】本発明の第１実施形態による表示装置で第２折曲部の位置によって表示パネルの上部に出る光量の分布を示した図である。
【図７】本発明の第１実施形態による表示装置で第２折曲部の位置によって表示パネルの上部に出る光量の分布を示した図である。
【図８】本発明の第１実施形態による表示装置で第２折曲部の位置によって表示パネルの上部に出る光量の分布を示した図である。
【図９】本発明の第１実施形態による表示装置で第２折曲部の位置によって表示パネルの上部に出る光量の分布を示した図である。
【図１０】本発明の第１実施形態による表示装置で第２折曲部の位置によって表示パネルの上部に出る光量の分布を示した図である。
【図１１】図２のＢ部分を拡大して示す拡大断面図である。
【図１２】図２のＢ部分で本発明の第１実施形態による表示装置の下部カバーと反射板を示す断面図である。
【図１３】図２のＢ部分で本発明の第１実施形態による表示装置の下部カバーと反射板を示す断面図である。
【図１４】本発明の第２実施形態による表示装置の一部を示す拡大断面図である。
【図１５】本発明の第３実施形態による表示装置を示す断面図である。
【図１６】本発明の第３実施形態による表示装置の反射板を示す斜視図である。
【図１７】本発明の第３実施形態による表示装置の反射板を示す斜視図である。
【図１８】本発明の第４実施形態による表示装置の一部を拡大して示す拡大断面図である。
【図１９】入光部からの距離−輝度の関係を光の主出射方向が表示パネルとなす角（θ）によって示すグラフである。
【図２０】本発明の第５実施形態による表示装置を示す分解斜視図である。
【図２１】図２０のＸＸＩ−ＸＸＩ線に沿って示す本発明の第５実施形態による表示装置を示す断面図である。
【図２２】図２１のＡ部分を拡大して示す拡大断面図である。
【図２３】図２２と同一の切断面を含む拡大斜視図である。
【図２４】本発明の第５実施形態による表示装置の反射カバーの形状をｘ軸及びｙ軸と共に示した図である。
【図２５】比較例による表示装置で光源から出た光の出射角による光の強さを示すグラフである。
【図２６】本発明の第６実施形態による表示装置の一部を示す拡大断面図である。
【図２７】本発明の第７実施形態による表示装置の一部を示す拡大断面図である。
【図２８】本発明の第７実施形態による表示装置の一部を示す拡大断面図である。
【図２９】図８と同一の切断面を含む拡大斜視図である。
【図３０】本発明の第８実施形態による表示装置の一部を示す拡大断面図である。
【図３１】本発明の第９実施形態による表示装置の一部を示す拡大断面図である。
【図３２】本発明の第１０実施形態による表示装置の一部を示す拡大断面図である。
【図３３】本発明の第１１実施形態による表示装置の一部を示す拡大断面図である。
【図３４】光の主出射方向と表示パネルがなす角が０度、１０度、及び２０度である場合の光源からの距離による輝度を示すグラフである。
【図３５】第１反射部の形状が扁平な場合に、下に凸の場合及び上に凸の場合の光源からの距離による輝度を示すグラフである。
【図３６】本発明の第１２実施形態による表示装置の一部を示す拡大断面図である。
【図３７】本発明の第１３実施形態による表示装置の一部を示す拡大断面図である。
【発明を実施するための形態】
【００１６】
以下、本発明の表示装置を実施するための形態の具体例を、図面を参照しながら詳細に説明する。なお、本発明には様々な実施形態があり得、ここで説明する実施形態に限られない。
【００１７】
図面では、複数の層及び領域を明確に表現するために厚さを拡大して示した。明細書全体に亘って類似の部分については同一の図面符号を付けた。層、膜、領域、板などの部分が他の部分の“上”にあるというとき、これは他の部分の“直上”にある場合だけでなく、その中間に他の部分がある場合も含む。逆に、ある部分が他の部分の“直上”にあるというときは中間に他の部分がないことを意味する。
【００１８】
先ず、図１〜図１３を参照して、本発明の第１実施形態による表示装置について説明する。
【００１９】
図１は、本発明の第１実施形態による表示装置を示す分解斜視図である。
【００２０】
本発明の第１実施形態による表示装置は、図１に示すように、大きくは光を供給するバックライトアセンブリ２００と、バックライトアセンブリ２００から光の供給を受けて映像を表示する表示パネル１００とからなる。また、バックライトアセンブリ２００及び表示パネル１００を固定するために、上部カバー３１０、モールドフレーム３１５、及び下部カバー３２０が結合されている。
【００２１】
バックライトアセンブリ２００は、光を供給する光源部２１０、表示パネル１００の下部に配置される光学シート２２０、光源部２１０から出る光を反射する反射板２３０を含む。
【００２２】
光源部２１０は、表示パネル１００のいずれか一側辺の下部に配置され、光を発生する光源２１１、光源２１１を実装する回路基板２１２、回路基板２１２に結合されている反射カバー２１４を含む。
【００２３】
光源２１１は複数の発光部材からなり、発光部材は、例えば発光ダイオード（ＬＥＤ：Ｌｉｇｈｔ  Ｅｍｉｔｔｉｎｇ  ｄｉｏｄｅ）などからなる。
【００２４】
回路基板２１２は、光源２１１に電気的に接続されて、光源２１１を駆動する信号を光源２１１に供給する。
【００２５】
反射カバー２１４は光源２１１から出る光を反射するものであり、反射カバー２１４の具体的な形状については、以下で図３〜図５を参照して更に説明する。
【００２６】
光学シート２２０は、光源部２１０から出た光の集光効率を高め、光が全体的に均一な分布を有するようにする。このような光学シート２２０は、複数の多様なシートからなり、例えば順次に積層された拡散シート２２２、プリズムシート２２４、及び保護シート２２６を含む。
【００２７】
拡散シート２２２は、光源部２１０から出た光を拡散する。プリズムシート２２４は、拡散シート２２２で拡散された光を表示パネル１００の平面に垂直な方向に集光する。プリズムシート２２４を通過した光は、略大部分が表示パネル１００に垂直に入射する。また、保護シート２２６は、プリズムシート２２４上に配置され、外部の衝撃からプリズムシート２２４を保護する。
【００２８】
上記で、光学シート２２０は、拡散シート２２２、プリズムシート２２４、及び保護シート２２６が１枚ずつ備えられたものを例に挙げたが、本発明はこれに限定されない。光学シート２２０は、拡散シート２２２、プリズムシート２２４、及び保護シート２２６のうちの少なくともいずれか一つを複数枚重ねて使用することができ、必要に応じていずれか一つのシートを省略することもできる。
【００２９】
反射板２３０は下部カバー３２０の上に配置される。反射板２３０は、光源部２１０から出た光が外部に漏洩しないように表示パネル１００方向に光の経路を変更する。反射板２３０の形状については、以下で図２、図６〜図１１を参照して更に説明する。
【００３０】
表示パネル１００には、液晶表示パネル（ｌｉｑｕｉｄ  ｃｒｙｓｔａｌ  ｄｉｓｐｌａｙ  ｐａｎｅｌ：ＬＣＤ）、電気泳動表示パネル（ｅｌｅｃｔｒｏｐｈｏｒｅｔｉｃ  ｄｉｓｐｌａｙ  ｐａｎｅｌ：ＥＤＰ）などの多様な表示パネルを用いることができる。
【００３１】
表示パネル１００として液晶表示パネルが用いられる場合、表示パネル１００は第１基板１１０及び第２基板１２０が互いに対向して合着されてなり、第１基板１１０と第２基板１２０の間には液晶層（図示せず）が形成されている。図示は省略したが、第１基板１１０上には複数のゲート線及びデータ線、これらと接続される薄膜トランジスタが形成されている。また、ゲート線から印加される信号によって薄膜トランジスタがターンオンされるとデータ線から信号が印加される画素電極が形成されている。第１基板１１０又は第２基板１２０上には共通電極が形成され、画素電極と共通電極の間に電界が形成されて液晶層の液晶分子の配向を制御する。これにより、バックライトアセンブリ２００から入射した光を制御して映像を表示する。
【００３２】
上部カバー３１０は、表示パネル１００の上部縁と側面を囲むように形成されて、表示パネル１００の前面縁を支持する。
【００３３】
モールドフレーム３１５は、上部カバー３１０と下部カバー３２０との間に形成されて、表示パネル１００を囲む側面と側面から突出する面を含み、表示パネル１００を収納する。モールドフレーム３１５の突出面を基準に、上部に表示パネル１００が収納され、その下部にバックライトアセンブリ２００が形成されている。
【００３４】
下部カバー３２０は、バックライトアセンブリ２００を収納するように、底面３２２と、底面３２２から延長されて折り曲げられた側面３２４を含む。表示パネル１００は、図面に示すように、四角形状に形成され、これにより下部カバー３２０の側面３２４は四つである。下部カバー３２０は、上部カバー３１０と結合され、従ってその内部に位置する表示パネル１００及びバックライトアセンブリ２００が固定される。
【００３５】
以下、本発明の第１実施形態による表示装置の一部構成要素について更に説明する。
【００３６】
図２は、図１のＩＩ−ＩＩ線に沿って示す本発明の第１実施形態による表示装置を示す断面図である。
【００３７】
表示装置の最も下部に位置している下部カバー３２０の底面３２２は複数回折り曲げられるように形成される。図２を参照すると、下部カバー３２０の底面３２２は、表示パネル１００と平行な面を有する第１底面３２２ａ及び第２底面３２２ｃ、第１底面３２２ａと第２底面３２２ｃとを連結する第１傾斜部３２２ｂ、及び第２底面３２２ｃから延長される第２傾斜部３２２ｄを含む。
【００３８】
下部カバー３２０の側面３２４のうちのいずれか一つには光源部２１０が結合される。下部カバー３２０の側面３２４は、光源部２１０が結合される第１側面３２４ａ、及び第１側面３２４ａに対向する第２側面３２４ｂを含む。下部カバー３２０の第１側面３２４ａは、特に光源部２１０の回路基板２１２と結合される。
【００３９】
下部カバー３２０の第１底面３２２ａは第１側面３２４ａに連結されており、第２傾斜部３２２ｄは第２側面３２４ｂに連結されている。
【００４０】
第２底面３２２ｃは、第１底面３２２ａより第１側面３２４ａの上端部からの深さが更に深く形成されている。また、第２傾斜部３２２ｄは、第２底面３２２ｃから遠くなるほど第１側面３２４ａの上端部からの深さがより浅くなるように形成されている。
【００４１】
下部カバー３２０は、第２側面３２４ｂに連結されて表示パネル１００と平行な面を有する第３底面３２２ｅ、及び第３底面３２２ｅから延長され折り曲げられて形成される第３側面部３２４ｃを更に含む。第３底面３２２ｅ及び第３側面部３２４ｃは、モールドフレーム３１５を支持し、上部カバー３１０と結合される。
【００４２】
回路基板２１２は上部面及び下部面を含み、上部面は光源２１１を実装し、下部面は下部カバー３２０の第１側面３２４ａに結合されている。従って、光源２１１は主に回路基板２１２の上部面が向かう方向に光を出射する。これを光の主出射方向６００といい、表示パネル１００の上部面及び／又は下部面と平行である。
【００４３】
従来の表示装置では表示パネル１００と平行な方向に出射した光を表示パネル１００に送るために導光板（ＬＧＰ：Ｌｉｇｈｔ  Ｇｕｉｄｅ  Ｐｌａｔｅ）を使用したが、本発明の第１実施形態では導光板を使用せずに表示パネル１００に光を均等に送ることができる構造を示している。そのための構成要素として、反射カバー２１４及び反射板２３０を使用しており、これについて以下で更に説明する。
【００４４】
次に、図３〜図５を参照して、反射カバー及びこれに関連する構成要素について更に説明する。
【００４５】
図３は、図２のＡ部分を拡大して示す拡大断面図であり、図４は、図３と同一の切断面を含む拡大斜視図であり、図５は、本発明の第１実施形態による表示装置の反射カバーの形状をｘ軸及びｙ軸と共に示した図である。
【００４６】
反射カバー２１４は、光を反射させる材質からなり、折り曲げられた板状の部材からなる。例えば、反射カバー２１４は、ＳＵＳ、アルミニウムなどからなる。反射カバー２１４は、光をよく反射するようにその表面を鏡面加工するか又は鏡面反射シートを付着して形成される。或いは、反射機能を有するポリマーを反射カバー２１４の材質に一体化して形成してもよい。このとき、反射率が９０％以上になる材質を用いるか又は９０％以上になるように加工をすることが好ましい。反射カバー２１４において、光源２１１から出る光を反射させる面は、その反対側に位置する面より反射率を更に大きくするか又は同一にする。
【００４７】
反射カバー２１４を反射効率の高い板状の部材で形成することによって、製造費用を節減することができ、形態の変形が容易なことから製造工程も単純化することができる。
【００４８】
反射カバー２１４は、光源２１１から出る光の主出射方向６００の上側及び下側を囲むように形成される第１反射部２１４ａ及び第２反射部２１４ｂ、第１反射部２１４ａと第２反射部２１４ｂとを連結する連結部２１４ｃを含む。
【００４９】
第１反射部２１４ａは、曲面からなり、連結部２１４ｃから表示パネル１００が位置する地点に向かうように曲がっている形状を有する。
【００５０】
下部カバー３２０は、第１側面３２４ａの上端部から延長され折り曲げられてモールドフレーム３１５の下部面を支持する上部面３２８を更に含む。このとき、第１反射部２１４ａは下部カバー３２０の上部面３２８の下側に位置する。
【００５１】
第２反射部２１４ｂは、曲面からなり、連結部２１４ｃから下部カバー３２０の底面３２２に至るように曲がっている形状を有する。
【００５２】
下部カバー３２０の第１底面３２２ａと第１傾斜部３２２ｂとが接する地点に第１折曲部３２６ａが形成されており、第１折曲部３２６ａは第２反射部２１４ｂを支持してその形状が維持されるように補助する。
【００５３】
第２反射部２１４ｂは、反射板２３０と接触して反射板２３０に結合される。例えば、第２反射部２１４ｂ及び反射板２３０を貫通して、反射カバー２１４と反射板２３０を結合する第２締結部材５２０が設けられる。また、第２締結部材５２０が下部カバー３２０を貫通することによって、反射カバー２１４が下部カバー３２０にも結合される。図面には第２締結部材５２０がねじからなる例を示しているが、本発明はこれに限定されず、両面テープなどで反射カバー２１４と下部カバー３２０を結合してもよい。
【００５４】
連結部２１４ｃは回路基板２１２の前面に結合される。連結部２１４ｃ及び回路基板２１２を貫通して反射カバー２１４と回路基板２１２を結合する第１締結部材５１０が設けられる。図面には第１締結部材５１０がねじからなる例を示しているが、本発明はこれに限定されず、両面テープなどで反射カバー２１４と回路基板２１２を結合してもよい。
【００５５】
反射カバー２１４の連結部２１４ｃと回路基板２１２との間には放熱部材（図示せず）が更に形成されてもよい。放熱部材は、例えば、放熱テープなどを用いることができる。これによって、反射カバー２１４が回路基板２１２の放熱フィンとして使用されて、光源２１１の放熱効果を増大させることができる。
【００５６】
連結部２１４ｃは、光源２１１が実装される位置に対応するように形成された開口部５００を更に含む。開口部５００は、光源２１１の大きさと同一であるか又は更に大きく形成される。開口部５００を通じて光源２１１が露出し、光源２１１から光の主出射方向６００に光が出射する。光源２１１は複数の発光部材からなり、開口部５００は発光部材の個数に対応するように形成される。
【００５７】
上記で、連結部２１４ｃは回路基板２１２の前面に結合されると説明したが、本発明はこれに限定されず、連結部２１４ｃは回路基板２１２の後面に結合されてもよい。
【００５８】
但し、連結部２１４ｃが回路基板２１２の後面に結合される場合、光源２１１から出た光が回路基板２１２の前面に至るためによく反射されず、回路基板２１２に熱が加えられて温度が上昇するようになることがある。反面、連結部２１４ｃが回路基板２１２の前面に結合され、開口部５００を通じて光源２１１が露出される場合、光源２１１から出た光が回路基板２１２の前面に至らず反射カバー２１４によって反射が起こるようになることから、反射効率を向上させることができる。また、回路基板２１２に光が至らないために温度の上昇を防止することができる。
【００５９】
第１反射部２１４ａと第２反射部２１４ｂは、図５を参照すると、光の主出射方向６００と平行な断面で一つの放物線上に位置するように形成されることが分かる。放物線の方程式は下記の数式１のように示される。
【００６０】
［数１］
（ｙ−β）２＝４ｐ（ｘ−α）
【００６１】
このとき、ｘ軸は光の主出射方向６００であり、ｙ軸はｘ軸に垂直な方向であり、βは放物線の中心と焦点との距離であり、αは放物線焦点のｘ座標であり、ｐは放物線の曲率である。
【００６２】
ｘ軸を基準に上側に第１反射部２１４ａが位置し、下側に第２反射部２１４ｂが位置している。放物線のｘ軸値に対するｙ軸値は焦点を除いて二つの値を有する。一つのｘ軸値に対応する二つの地点を連結する線が連結部２１４ｃをなしている。連結部２１４ｃはｙ軸と平行な方向に形成される。
【００６３】
第２反射部２１４ｂの長さは第１反射部２１４ａの長さより長く形成される。第１反射部２１４ａは表示パネル１００の表示領域を覆わない程度の長さに形成されるのが好ましい。第２反射部２１４ｂの長さは、第１反射部２１４ａより長く形成され、光源２１１から出る光が光の主出射方向６００を外れる場合にこれを反射して表示パネル１００に供給されるように最適の長さに形成される。
【００６４】
本発明の第１実施形態で、第２反射部２１４ｂは、連結部２１４ｃから第２締結部材５２０が形成されている位置まで形成されており、反射カバー２１４の第２反射部２１４ｂと反射板２３０は重畳している。
【００６５】
これとは異なり、反射板２３０が別途に形成されなくてもよく、このような場合には第２反射部２１４ｂが第２締結部材５２０と結合された部分から延長されて下部カバー３２０の第２側面３２４ｂに至るように形成されてもよい。
【００６６】
次に、図２、図６〜図１１を参照して、反射板及びこれに関連する構成要素について更に説明する。
【００６７】
図６〜図１０は、本発明の第１実施形態による表示装置で第２折曲部の位置によって表示パネルの上部に出る光量の分布を示した図である。図１１は、図２のＢ部分を拡大して示す拡大断面図であり、図１２及び図１３は、図２のＢ部分で本発明の第１実施形態による表示装置の下部カバーと反射板を示す断面図である。
【００６８】
反射板２３０は図２に示すように少なくとも一回折り曲げられた形状を有する。反射板２３０は下部カバー３２０の第２底面３２２ｃ及び第２傾斜部３２２ｄの上に形成される。
【００６９】
反射板２３０は下部カバー３２０の折曲部に対応して折り曲げられた形状を有する。即ち、下部カバー３２０の第２底面３２２ｃと第２傾斜部３２２ｄとが接する第２折曲部３２６ｂ上で反射板２３０は一回折り曲げられた形状を有する。
【００７０】
図６〜図１０を参照すると、第２折曲部３２６ｂの位置によって表示パネル１００に伝達される光の均等性（Ｕｎｉｆｏｒｍｉｔｙ）が変化することが分かる。
【００７１】
図６〜図１０で、下側は光源２１１に最も近い地点である入光部を示し、上側は光源２１１から最も遠い地点である対光部を示す。入光部は下部カバー３２０の第１側面３２４ａに対応する地点といえ、対光部は下部カバー３２０の第２側面３２４ｂに対応する地点といえる。光量が少ない部分は相対的に暗く表示され、光量が適切に伝達された部分は明るく表示される。
【００７２】
図６は、入光部から第２折曲部３２６ｂまでの長さｌ２が、入光部から対光部までの長さｌ１の０．１倍である場合の、表示パネルの上部に出る光量の分布を示し、図７は、入光部から第２折曲部３２６ｂまでの長さｌ２が、入光部から対光部までの長さｌ１の０．２倍である場合の、表示パネルの上部に出る光量の分布を示す。入光部に近い地点は明るく表示されているが、入光部から遠くなるほど暗く表示されている。第２折曲部３２６ｂの位置が入光部に近い場合、光の主出射方向６００と反射板２３０とがなす角の大きさが小さいことから、反射板２３０の反射効果が大きくなく、光源２１１から出た光が対光部まで至ることに困難があるためである。
【００７３】
図８は、入光部から第２折曲部３２６ｂまでの長さｌ２が、入光部から対光部までの長さｌ１の０．３倍である場合の、表示パネルの上部に出る光量の分布を示し、図９は、入光部から第２折曲部３２６ｂまでの長さｌ２が、入光部から対光部までの長さｌ１の０．４倍である場合の、表示パネルの上部に出る光量の分布を示す。入光部に近い地点及び遠い地点の全部に均等に光が分布している。
【００７４】
図１０は、入光部から第２折曲部３２６ｂまでの長さｌ２が、入光部から対光部までの長さｌ１の０．５倍である場合の、表示パネルの上部に出る光量の分布を示す。入光部から遠い地点は明るく表示されているが、入光部に近い地点が暗く表示されている。第２折曲部３２６ｂの位置が入光部から遠い場合、光の主出射方向６００と反射板２３０とがなす角の大きさが大きいことから、反射板２３０の反射効果が大きいために光源２１１から出て対光部まで至る光量は多くなるが、相対的に入光部から表示パネル１００に出る光量が少なくなるためである。
【００７５】
従って、第２折曲部３２６ｂの位置は、入光部から対光部に至るまで光が均等に分布するように決定されるのが好ましい。実験によって確認した結果、入光部から第２折曲部３２６ｂまでの長さｌ２が、入光部から対光部までの長さｌ１の０．２倍以上であり、０．５倍以下であることが好ましい。また、入光部から第２折曲部３２６ｂまでの長さｌ２が入光部から対光部までの長さｌ１の０．３倍以上であり、０．４倍以下であることがより好ましい。
【００７６】
再び図２を参照すると、反射板２３０は第１傾斜部３２２ｂまで延長されるように形成される。このとき、反射板２３０は下部カバー３２０の第１傾斜部３２２ｂと第２底面とが接する第４折曲部３２６ｄで折り曲げられる形状を有する。光源２１１から出た光が主出射方向６００から下方に逸脱した場合、大部分が反射カバー２１４の第２反射部２１４ｂによって表示パネル１００側に反射されるため、反射板２３０が第１傾斜部３２２ｂまで形成されなくても関係ない。但し、反射板２３０が第１傾斜部３２２ｂまで形成されることによって、反射効率を更に高めることができる。
【００７７】
図１１及び図１２を参照すると、反射板２３０の一側端部は、下部カバー３２０の第２傾斜部３２２ｄと第２側面３２４ｂとが接する第３折曲部３２６ｃに至るように形成される。反射板２３０の一側端部では、第２側面３２４ｂの高さだけ光学シート２２０と反射板２３０との間に空間が形成される。光学シート２２０と反射板２３０との間に空間がない場合、光源２１１から出た光が反射板２３０によって反射されずに、表示パネル１００の一側縁に暗部が視認される。本発明の第１実施形態では、光学シート２２０と反射板２３０との間に空間を形成することによって、このような暗部が視認されることを防止することができる。
【００７８】
また、図１３に示すように、反射板２３０は下部カバー３２０の第３折曲部３２６ｃに対応する位置で折り曲げられて第２側面３２４ｂを覆うように延長形成されてもよい。これによって、光源２１１から出て第２側面３２４ｂに至る光が反射板２３０によって反射されて表示パネル１００に伝達されるため、反射効率を更に高めることができる。
【００７９】
次に、図１４を参照して、本発明の第２実施形態による表示装置について説明する。
【００８０】
本発明の第２実施形態による表示装置は、第１実施形態と同一な部分が相当あるため、これについての説明は省略し、差異がある部分についてのみ以下で説明する。第１実施形態との最も大きな差異点は、下部カバー及び反射板が形成されない点であり、以下で更に詳しく説明する。
【００８１】
図１４は、本発明の第２実施形態による表示装置の一部を示す拡大断面図である。
【００８２】
本発明の第１実施形態による表示装置で説明したものと同様に、反射板は、反射カバー２１４と一体形に形成され、反射カバー２１４の第２反射部２１４ｂを延長形成する。このとき、第２反射部２１４ｂは表示パネル１００の一側端部から他側端部に至るまで形成される。
【００８３】
更に、下部カバーが反射カバー２１４と一体形に形成されてもよい。即ち、反射カバー２１４が、表示パネル１００、光学シート２２０などを収納することができるように形成されてもよい。
【００８４】
但し、反射カバー２１４が下部カバーの役割を果たすようにするためには、上述の実施形態で曲げられる材質で形成されたものとは異なり、他の構成要素を支持することができる固い材質からなることが好ましい。
【００８５】
次に、図１５を参照して、本発明の第３実施形態による表示装置について説明する。
【００８６】
本発明の第３実施形態による表示装置は、第１実施形態と同一な部分が相当あるため、これについての説明は省略し、差異がある部分についてのみ以下で説明する。第１実施形態との最も大きな差異点は、反射カバーが複数個で形成され、複数の反射カバーが互いに対向して対称に形成されるという点であり、以下で更に詳しく説明する。
【００８７】
図１５は、本発明の第３実施形態による表示装置を示す断面図であり、図１６及び図１７は、本発明の第３実施形態による表示装置の反射板を示す斜視図である。
【００８８】
第１実施形態で光源２１１が表示パネル１００のいずれか一側辺の下部に配置されるのに対し、第３実施形態で、光源２１１は、表示パネル１００の二つの辺の下部に配置される。例えば、光源２１１が表示パネル１００の左側及び右側辺の下部に配置される。
【００８９】
また、表示パネル１００の左側及び右側辺の下部に配置される光源２１１をそれぞれ実装する複数の回路基板２１２が設けられる。このとき、表示パネル１００の左側辺の下部に配置される光源２１１を実装する回路基板２１２と、表示パネル１００の右側辺の下部に配置される光源２１１を実装する回路基板２１２は、対称に形成される。
【００９０】
また、複数の回路基板２１２に結合される複数の反射カバー２１４が形成される。
【００９１】
反射板２３０は、図１６に示すように、両側に配置された光源２１１間の中央部が高くそびえた形状をし、中央部から両側縁に近くなるほど高さが低くなる形状を有する。即ち、中央部から両側に近くなるほど表示パネル１００と反射板２３０の距離が遠くなる。
【００９２】
上記で、光源２１１が表示パネル１００の両側下部に配置されるものと説明したが、本発明はこれに限定されず、表示パネル１００の四つの角部下部に配置されてもよい。即ち、光源２１１が、表示パネル１００の左側、右側、上側、及び下側辺の下部に配置される。
【００９３】
また、複数の回路基板２１２が上下、左右対称に形成され、複数の回路基板２１２に結合される複数の反射カバー２１４が形成されてもよい。
【００９４】
このとき、反射板２３０は、図１７に示すように、上下左右に配置された光源２１１間の中央部が高くそびえた形成をし、中央部から四つの縁に近くなるほど高さが低くなる形状を有してもよい。即ち、中央部から縁に近くなるほど表示パネル１００と反射板２３０の距離が遠くなる。
【００９５】
次に、図１８及び図１９を参照して、本発明の第４実施形態による表示装置について説明する。
【００９６】
本発明の第４実施形態による表示装置は、第１実施形態と同一な部分が相当あるため、これについての説明は省略し、差異がある部分についてのみ以下で説明する。第１実施形態との最も大きな差異点は、光源から出射した光が表示パネルと斜めの角度を有して進行するように配置されるという点であり、以下で更に詳しく説明する。
【００９７】
図１８は、本発明の第４実施形態による表示装置の一部を拡大して示す拡大断面図である。
【００９８】
第１実施形態で光源は回路基板の上部面に付着されており、回路基板は下部カバーの第１側面と結合されている。従って、光の主出射方向は表示パネルと平行である。
【００９９】
一方、第４実施形態で、光源２１１は、光の主出射方向６００が表示パネル１００と斜めに配置される。図１８に示すように、光源２１１は回路基板２１２の上部面に付着される。下部カバー３２０の第１側面３２４ａと回路基板２１２は０度超過２０度以下の角を有するように配置される。
【０１００】
これにより、光の主出射方向６００が表示パネル１００となす角（θ）は０度超過２０度以下となる。また、光の主出射方向６００が表示パネル１００となす角（θ）は１０度以上１５度以下がより好ましい。
【０１０１】
図１９を参照すると、光の主出射方向６００が表示パネル１００と斜めに光源２１１を配置することによって、表示パネル１００の縁で光漏れが発生することを減らすことができるのが分かる。
【０１０２】
図１９は、入光部からの距離−輝度の関係を光の主出射方向が表示パネルとなす角（θ）によって示すグラフである。
【０１０３】
光の主出射方向６００が表示パネル１００となす角（θ）が０度である場合、即ち、光の主出射方向６００が表示パネル１００と平行な場合、入光部で他の部分に比べて特に明るい部分が発生する。これによって表示パネル１００の縁に光漏れが発生するようになる。
【０１０４】
光の主出射方向６００が表示パネル１００となす角（θ）が１０度である場合には、０度である場合に比べて入光部で発生する光漏れが減ることが分かる。
【０１０５】
また、光の主出射方向６００が表示パネル１００となす角（θ）が１５度である場合には、入光部で発生する光漏れが更に減るのを確認することができる。
【０１０６】
次に、図２０を参照して、本発明の第５実施形態による表示装置について説明する。
【０１０７】
図２０は、本発明の第５実施形態による表示装置を示す分解斜視図である。
【０１０８】
本発明の第５実施形態による表示装置は、図２０に示すように、大きくは光を供給するバックライトアセンブリ２００と、バックライトアセンブリ２００から光の供給を受けて映像を表示する表示パネル１００とからなる。また、バックライトアセンブリ２００及び表示パネル１００を固定するために、上部カバー３１０、モールドフレーム３１５、及び下部カバー３２０が結合されている。
【０１０９】
バックライトアセンブリ２００は、光を供給する光源部２１０、表示パネル１００の下部に配置される光学シート２２０、光源部２１０から出る光を反射する反射板２３０を含む。
【０１１０】
光源部２１０は、表示パネル１００のいずれか一側辺の下部に配置され、光を発生する光源２１１、光源２１１を実装する回路基板２１２、回路基板２１２に結合されている反射カバー２１４を含む。
【０１１１】
光源２１１は複数の発光部材からなり、発光部材は、例えば発光ダイオード（ＬＥＤ：Ｌｉｇｈｔ  Ｅｍｉｔｔｉｎｇ  ｄｉｏｄｅ）などからなる。
【０１１２】
回路基板２１２は、光源２１１に電気的に接続されて、光源２１１を駆動する信号を光源２１１に供給する。
【０１１３】
反射カバー２１４は光源２１１から出る光を反射するものであり、反射カバー２１４の具体的な形状については、以下で図２２〜図２４を参照して更に説明する。
【０１１４】
光学シート２２０は、光源部２１０から出た光の集光効率を高め、光が全体的に均一な分布を有するようにする。このような光学シート２２０は、複数の多様なシートからなり、例えば順次に積層された拡散シート２２２、プリズムシート２２４、及び保護シート２２６を含む。
【０１１５】
拡散シート２２２は、光源部２１０から出た光を拡散する。プリズムシート２２４は、拡散シート２２２で拡散された光を表示パネル１００の平面に垂直な方向に集光する。プリズムシート２２４を通過した光は、略大部分が表示パネル１００に垂直に入射する。また、保護シート２２６は、プリズムシート２２４上に配置され、外部の衝撃からプリズムシート２２４を保護する。
【０１１６】
上記で、光学シート２２０は、拡散シート２２２、プリズムシート２２４、及び保護シート２２６が１枚ずつ備えられたものを例に挙げたが、本発明はこれに限定されない。光学シート２２０は、拡散シート２２２、プリズムシート２２４、及び保護シート２２６のうちの少なくともいずれか一つを複数枚重ねて使用してもよく、必要に応じていずれか一つのシートを省略してもよい。
【０１１７】
反射板２３０は下部カバー３２０の上に配置される。反射板２３０は、光源部２１０から出た光が外部に漏洩しないように表示パネル１００方向に光の経路を変更する。
【０１１８】
表示パネル１００には、液晶表示パネル（ｌｉｑｕｉｄ  ｃｒｙｓｔａｌ  ｄｉｓｐｌａｙ  ｐａｎｅｌ：ＬＣＤ）、電気泳動表示パネル（ｅｌｅｃｔｒｏｐｈｏｒｅｔｉｃ  ｄｉｓｐｌａｙ  ｐａｎｅｌ：ＥＤＰ）などの多様な表示パネルが用いられてもよい。
【０１１９】
表示パネル１００として液晶表示パネルが用いられる場合、表示パネル１００は第１基板１１０及び第２基板１２０が互いに対向して合着されてなり、第１基板１１０と第２基板１２０の間には液晶層（図示せず）が形成されている。図示は省略したが、第１基板１１０上には複数のゲート線及びデータ線、これらと接続される薄膜トランジスタが形成されている。また、ゲート線から印加される信号によって薄膜トランジスタがターンオンされるとデータ線から信号が印加される画素電極が形成されている。第１基板１１０又は第２基板１２０上には共通電極が形成され、画素電極と共通電極の間に電界が形成されて液晶層の液晶分子の配向を制御する。これにより、バックライトアセンブリ２００から入射した光を制御して映像を表示する。
【０１２０】
上部カバー３１０は、表示パネル１００の上部縁と側面を囲むように形成されて、表示パネル１００の前面縁を支持する。
【０１２１】
モールドフレーム３１５は、上部カバー３１０と下部カバー３２０との間に形成されて、表示パネル１００を囲む側面と側面から突出する面を含み、表示パネル１００を収納する。モールドフレーム３１５の突出面を基準に、上部に表示パネル１００が収納され、その下部にバックライトアセンブリ２００が形成されている。
【０１２２】
下部カバー３２０は、バックライトアセンブリ２００を収納するように、底面３２２と、底面３２２から延長されて折り曲げられた側面３２４を含む。表示パネル１００は、図面に示すように、四角形状に形成され、これにより下部カバー３２０の側面３２４は四つである。下部カバー３２０は、上部カバー３１０と結合され、従ってその内部に位置する表示パネル１００及びバックライトアセンブリ２００が固定される。
【０１２３】
以下、本発明の第５実施形態による表示装置の一部構成要素について更に説明する。
【０１２４】
図２１は、図２０のＸＸＩ−ＸＸＩ線に沿って示す本発明の第５実施形態による表示装置を示す断面図である。
【０１２５】
表示装置の最も下部に位置している下部カバー３２０の底面３２２は複数回折り曲げられるように形成される。図２１を参照すると、下部カバー３２０の底面３２２は、表示パネル１００と平行な面を有する第１底面３２２ａ及び第２底面３２２ｃ、第１底面３２２ａと第２底面３２２ｃとを連結する第１傾斜部３２２ｂ、及び第２底面３２２ｃから延長される第２傾斜部３２２ｄを含む。
【０１２６】
下部カバー３２０の側面３２４のうちのいずれか一つには光源部２１０が結合される。下部カバー３２０の側面３２４は、光源部２１０が結合される第１側面３２４ａ、及び第１側面３２４ａに対向する第２側面３２４ｂを含む。下部カバー３２０の第１側面３２４ａは、特に光源部２１０の回路基板２１２と結合される。
【０１２７】
下部カバー３２０の第１底面３２２ａは第１側面３２４ａに連結されており、第２傾斜部３２２ｄは第２側面３２４ｂに連結されている。
【０１２８】
第２底面３２２ｃは、第１底面３２２ａより第１側面３２４ａの上端部からの深さが更に深く形成されている。また、第２傾斜部３２２ｄは、第２底面３２２ｃから遠くなるほど第１側面３２４ａの上端部からの深さがより浅くなるように形成されている。
【０１２９】
下部カバー３２０は、第２側面３２４ｂに連結されて表示パネル１００と平行な面を有する第３底面３２２ｅ、及び第３底面３２２ｅから延長され折り曲げられて形成される第３側面３２４ｃを更に含む。第３底面３２２ｅ及び第３側面３２４ｃは、モールドフレーム３１５を支持し、上部カバー３１０と結合される。
【０１３０】
回路基板２１２は上部面及び下部面を含み、上部面は光源２１１を実装し、下部面は下部カバー３２０の第１側面３２４ａに結合されている。従って、光源２１１は主に回路基板２１２の上部面が向かう方向に光を出射する。これを光の主出射方向６００といい、表示パネル１００の上部面及び／又は下部面と平行である。
【０１３１】
図に示すものとは異なり、回路基板２１２の下部面が反射カバー２１４と結合されるように形成されてもよい。このとき、下部カバー３２０の第１側面３２４ａは反射カバー２１４と結合される。
【０１３２】
従来の表示装置では表示パネル１００と平行な方向に出射した光を表示パネル１００に送るために導光板（ＬＧＰ：Ｌｉｇｈｔ  Ｇｕｉｄｅ  Ｐｌａｔｅ）を使用したが、本発明の第５実施形態では導光板を使用せずに表示パネル１００に光を均等に送ることができる構造を示している。そのための構成要素として、反射カバー２１４及び反射板２３０を使用しており、これについて以下で更に説明する。
【０１３３】
次に、図２２〜図２４を参照して、反射カバー及びこれに関連する構成要素について更に説明する。
【０１３４】
図２２は、図２１のＡ部分を拡大して示す拡大断面図であり、図２３は、図２２と同一の切断面を含む拡大斜視図であり、図２４は、本発明の第５実施形態による表示装置の反射カバーの形状をｘ軸及びｙ軸と共に示した図である。
【０１３５】
反射カバー２１４は、光源２１１から出る光の主出射方向６００の上側を囲むように形成される第１反射部２１４ａ、光の主出射方向６００の下側を囲むように形成される第２反射部２１４ｂ、第１反射部２１４ａと第２反射部２１４ｂとを連結する連結部２１４ｃを含む。
【０１３６】
第１反射部２１４ａは、曲面からなり、連結部２１４ｃから表示パネル１００が位置する地点に向かうように曲がっている形状を有する。
【０１３７】
下部カバー３２０は、第１側面３２４ａの上端部から延長され折り曲げられてモールドフレーム３１５の下部面を支持する上部面３２８を更に含む。このとき、第１反射部２１４ａは下部カバー３２０の上部面３２８の下側に位置する。
【０１３８】
第１反射部２１４ａは、金属材質からなる金属部２１５及び透明樹脂モールド材質からなるモールド部２１６を含む。モールド部２１６は金属部２１５より光源２１１から更に遠い地点に位置する。即ち、金属部２１５は連結部２１４ｃから延長されており、モールド部２１６は金属部２１５に連結されている。モールド部２１６の厚さは金属部２１５より更に厚く形成される。
【０１３９】
金属部２１５は、光を反射する金属材質からなり、押出成形方式で製造した厚い金属材質又は曲げられた薄い板状の部材からなる。例えば、金属部２１５は、ＳＵＳ、アルミニウムなどからなる。光源２１１から光が入射される面、即ち金属部２１５の入光面が光をよく反射するようにその表面を鏡面加工するか又は鏡面反射シートを付着して形成される。或いは、反射機能を有するポリマーを金属部２１５の材質に一体化して形成してもよい。このとき、反射率が９０％以上になる材質を用いるか又は９０％以上になるように加工をするのが好ましい。金属部２１５の入光面は、その反対側に位置する面より反射率を更に大きくするか又は同一にする。
【０１４０】
モールド部２１６は、光源２１１から出る光の一部を透過させる透明樹脂モールド材質からなる。例えば、モールド部２１６は、ポリカーボネート（ＰＣ）又はポリメチルメタクリレート（ＰＭＭＡ）からなる。光源２１１から光が入射する面、即ちモールド部２１６の入光面が光をよく反射するように表面を鏡面加工してもよい。或いは、モールド部２１６の入光面が光をよく反射せず、モールド部２１６を透過する光量を更に増やすために表面を粗面加工してもよい。
【０１４１】
光源２１１から出た光の一部は、モールド部２１６の入光面で反射されて、第２反射部２１４ｂに向かう。他の一部はモールド部２１６の内部で全反射されて進行し、全反射が終わるとモールド部２１６の外部に出る。モールド部２１６の内部で全反射された光は、主にモールド部２１６の縁まで進行した後、出光して第２反射部２１４ｂに向かう。残りの一部は、モールド部２１６の入光面の反対側に位置する出光面に抜け出る。
【０１４２】
第１反射部２１４ａは、モールド部２１６が表示パネル１００の縁と重畳する長さに形成される。このとき、モールド部２１６の出光面に出た光は表示パネル１００に直に入射する。モールド部２１６と表示パネル１００が重畳しても、モールド部２１６と表示パネル１００との間に下部カバー３２０の上部面３２８が位置する部分では、モールド部２１６の出光面に出た光が表示パネル１００に直に入射することができない。従って、モールド部２１６と表示パネル１００が重畳する部分の少なくとも一部領域には下部カバー３２０の上部面３２８が形成されないようにする。
【０１４３】
表示パネル１００は画面を表示する表示領域及び表示領域を囲む非表示領域からなっており、モールド部２１６は表示パネル１００の非表示領域と重畳するように形成される。モールド部２１６が表示パネル１００の表示領域と重畳する場合、モールド部２１６が画面に視認されることがあるためである。
【０１４４】
また、モールド部２１６が表示パネル１００と重畳しないように形成されてもよい。
【０１４５】
モールド部２１６は、光源２１１から出た光の一部のみを直接表示パネル１００に供給し、残りは再びバックライトアセンブリ２００の内部に返す。これによって、表示パネル１００の縁には光漏れも発生せず、暗部も発生せず、バックライトアセンブリ２００の光効率も高めることができる。
【０１４６】
このとき、表示パネル１００の縁に光漏れも発生せず、暗部も発生しないようにモールド部２１６の透過率を調節するために、上記で説明した鏡面加工又は粗面加工を利用することができる。モールド部２１６の透過率が適切な場合、鏡面加工及び粗面加工は行われないこともある。
【０１４７】
金属部２１５とモールド部２１６は一部重畳し、金属部２１５とモールド部２１６が重畳する部分で、金属部２１５とモールド部２１６との間に形成されて金属部２１５とモールド部２１６を連結する接着部材２１７が更に設けられる。接着部材２１７は両面テープなどからなる。
【０１４８】
第２反射部２１４ｂは、曲面からなり、連結部２１４ｃから下部カバー３２０の底面３２２に至るように曲がっている形状を有する。
【０１４９】
下部カバー３２０の第１底面３２２ａと第１傾斜部３２２ｂとが接する地点に第１折曲部３２６ａが形成されており、第１折曲部３２６ａは第２反射部２１４ｂを支持してその形状が維持されるように補助する。
【０１５０】
第２反射部２１４ｂは、反射板２３０と接触して反射板２３０に結合される。例えば、第２反射部２１４ｂ及び反射板２３０を貫通して、反射カバー２１４と反射板２３０を結合する第２締結部材５２０が設けられる。また、第２締結部材５２０が下部カバー３２０を貫通することによって、反射カバー２１４が下部カバー３２０にも結合される。図面には第２締結部材５２０がねじからなる例を示しているが、本発明はこれに限定されず、両面テープなどで反射カバー２１４と下部カバー３２０を結合してもよい。
【０１５１】
連結部２１４ｃは回路基板２１２の前面に結合される。連結部２１４ｃ及び回路基板２１２を貫通して反射カバー２１４と回路基板２１２を結合する第１締結部材５１０が設けられる。図面には第１締結部材５１０がねじからなる例を示しているが、本発明はこれに限定されず、両面テープなどで反射カバー２１４と回路基板２１２を結合してもよい。
【０１５２】
反射カバー２１４の連結部２１４ｃと回路基板２１２との間には放熱部材（図示せず）が更に形成されてもよい。放熱部材は、例えば、放熱テープなどを用いることができる。これによって、反射カバー２１４が回路基板２１２の放熱フィンとして使用されて、光源２１１の放熱効果を増大させることができる。
【０１５３】
連結部２１４ｃは、光源２１１が実装される位置に対応するように形成された開口部５００を更に含む。開口部５００は、光源２１１の大きさと同一であるか又は更に大きく形成される。開口部５００を通じて光源２１１が露出し、光源２１１から光の主出射方向６００に光が出射する。光源２１１は複数の発光部材からなり、開口部５００は発光部材の個数に対応するように形成される。
【０１５４】
上記で、連結部２１４ｃは回路基板２１２の前面に結合されると説明したが、本発明はこれに限定されず、連結部２１４ｃは回路基板２１２の後面に結合されてもよい。即ち、回路基板２１２の後面が反射カバー２１４の連結部２１４ｃと結合され、連結部２１４ｃは下部カバー３２０に結合されてもよい。
【０１５５】
第１反射部２１４ａと第２反射部２１４ｂは、図２４を参照すると、光の主出射方向６００と平行な断面で一つの放物線上に位置するように形成されることが分かる。放物線の方程式は上述した数式１のように示される。
【０１５６】
上記で、第１反射部２１４ａと第２反射部２１４ｂが曲面からなると説明したが、本発明はこれに限定されず、第１反射部２１４ａ及び第２反射部２１４ｂは光の主出射方向６００と平行な断面で直線上に位置するように形成されてもよい。
【０１５７】
第２反射部２１４ｂの長さは第１反射部２１４ａの長さより長く形成される。第１反射部２１４ａは、表示パネル１００に重畳しないか又は表示パネル１００の縁、特に表示パネル１００の非表示領域に重畳する程度の長さに形成されるのが好ましい。第２反射部２１４ｂの長さは第１反射部２１４ａより長く形成され、光源２１１から出る光が光の主出射方向６００を外れる場合にこれを反射して表示パネル１００に供給されるように最適の長さに形成される。
【０１５８】
本発明の第５実施形態で、第２反射部２１４ｂは、連結部２１４ｃから第２締結部材５２０が形成されている位置まで形成されており、反射カバー２１４の第２反射部２１４ｂと反射板２３０は重畳している。
【０１５９】
反射板２３０は少なくとも一回折り曲げられた形状を有する。反射板２３０は下部カバー３２０の第２底面３２２ｃ及び第２傾斜部３２２ｄの上に形成される。
【０１６０】
反射板２３０は下部カバー３２０の折曲部に対応して折り曲げられた形状を有する。即ち、下部カバー３２０の第２底面３２２ｃと第２傾斜部３２２ｄとが接する第２折曲部３２６ｂ上で反射板２３０は一回折り曲げられた形状を有する。
【０１６１】
以下、本発明の第５実施形態による表示装置で表示パネルの縁に光漏れ及び暗部が発生しない原理について説明する。
【０１６２】
図２５は、比較例による表示装置で、光源から出た光の出射角による光の強さを示すグラフである。図２５で０度は表示パネルと平行な方向を示し、正の角度は表示パネル側に向かう角度を示し、負の角度は下部カバー３２０の底面に向かう角度を示す。
【０１６３】
比較例１は、本発明の第５実施形態による表示装置で、反射カバー２１４の第１反射部２１４ａが表示パネル１００と重畳しないように形成した場合である。即ち、第１反射部２１４ａの長さを第５実施形態より更に短く形成した場合である。
【０１６４】
比較例２は、本発明の第５実施形態による表示装置で、反射カバー２１４を全体的に金属材質で形成した場合である。即ち、反射カバー２１４の第１反射部２１４ａに入射した光が透過しない場合である。
【０１６５】
比較例１と比較例２で、両方とも−１０度と＋１０度の間に大部分の光が分布することが分かる。光源２１１から出る光は全角度に丸く広がっていくが、反射カバー２１４が光源２１１の上側及び下側を囲む形態に形成されて光の直進性を高めるためである。
【０１６６】
比較例１では、−１０度地点より＋１０度地点で光量が顕著に多く示された。＋１０度地点は反射カバー２１４の第１反射部２１４ａが形成されておらず、光源２１１から出た光が直接表示パネル１００に入射して光漏れとして視認される地点である。
【０１６７】
比較例２では、比較例１での光漏れを防止するために、反射カバー２１４の第１反射部２１４ａを更に長く形成したものである。比較例２では、＋１０度地点での光量が比較例１より非常に低くなることによって、暗部として視認される。反射カバー２１４が全体的に金属材質からなることから、第１反射部２１４ａを通過する光が発生しないためである。
【０１６８】
本発明の第５実施形態では、第１反射部２１４ａの長さを比較例２のように形成するが、第１反射部２１４ａの材質を透明樹脂モールド材質で形成することによって、比較例１と比較例２の間の特性を示すようにすることができる。即ち、第１反射部２１４ａに入射した光の一部のみを直接表示パネル１００に入射するようにすることによって、光漏れも暗部も示さないようにすることができる。光漏れ及び暗部が発生しないようにするために、第１反射部２１４ａの透過率を調節する必要があり、第１反射部２１４ａの材質選択、厚さ調節、表面加工などで透過率を調節することができる。
【０１６９】
次に、図２６を参照して、本発明の第６実施形態による表示装置について説明する。
【０１７０】
本発明の第６実施形態による表示装置は、第５実施形態と同一な部分が相当あるため、これについての説明は省略し、差異がある部分についてのみ以下で説明する。第５実施形態との最も大きな差異点は、第１反射部２１４ａの金属部２１５とモールド部２１６を連結する方式であり、以下で更に詳しく説明する。
【０１７１】
図２６は、本発明の第６実施形態による表示装置の一部を示す拡大断面図である。
【０１７２】
本発明の第６実施形態による表示装置の反射カバー２１４は、第１反射部２１４ａ、第２反射部２１４ｂ、及び連結部２１４ｃを含む。
【０１７３】
第１反射部２１４ａは、金属材質からなる金属部２１５及び透明樹脂モールド材質からなるモールド部２１６を含む。
【０１７４】
金属部２１５とモールド部２１６は一部重畳し、金属部２１５とモールド部２１６が重畳する部分で、金属部２１５とモールド部２１６を結合する第３締結部材２１８が更に設けられる。金属部２１５とモールド部２１６が重畳する部分には、金属部２１５とモールド部２１６を貫通するホールが形成され、ホールの内部にはねじ山が形成される。第３締結部材２１８は雄ねじからなってホールの内部に嵌合される。第３締結部材２１８のねじ頭が反射カバー２１４の入光面に位置すると、反射カバー２１４の反射特性に影響を与えるおそれがあるため、第３締結部材２１８のねじ頭は反射カバー２１４の入光面の反対面に位置するのが好ましい。
【０１７５】
金属部２１５とモールド部２１６が重畳する部分では、金属部２１５が反射カバー２１４の入光面に位置してもよく、反対にモールド部２１６が反射カバー２１４の入光面に位置してもよい。
【０１７６】
次に、図２７〜図２９を参照して、本発明の第７実施形態による表示装置について説明する。
【０１７７】
本発明の第７実施形態による表示装置は、第５実施形態と同一な部分が相当あるため、これについての説明は省略し、差異がある部分についてのみ以下で説明する。第５実施形態との最も大きな差異点は、反射カバー２１４の第１反射部２１４ａの全体が透明樹脂モールドからなるという点であり、以下で更に詳しく説明する。
【０１７８】
図２７は、本発明の第７実施形態による表示装置の一部を示す拡大断面図であり、図２８は、本発明の第７実施形態による表示装置の一部を示す拡大断面図であり、図２９は、図２７と同一な切断面を含む拡大斜視図である。
【０１７９】
本発明の第７実施形態による表示装置の反射カバー２１４は、第１反射部２１４ａ、第２反射部２１４ｂ、及び連結部２１４ｃを含む。
【０１８０】
第１反射部２１４ａは、連結部２１４ｃから表示パネル１００が位置する地点に至るように形成され、曲がっている形状に形成される。第１反射部２１４ａは連結部２１４ｃより更に厚く形成される。第１反射部２１４ａは全体的に透明樹脂モールド材質からなる。例えば、第１反射部２１４ａはポリカーボネート（ＰＣ）又はポリメチルメタクリレート（ＰＭＭＡ）からなる。
【０１８１】
光源２１１から光が入射する面、即ち第１反射部２１４ａの入光面が光をよく反射するように表面を鏡面加工してもよい。或いは、第１反射部２１４ａの入光面が光をよく反射せず、第１反射部２１４ａを透過する光量を更に増やすために表面を粗面加工してもよい。また、第１反射部２１４ａの一部領域を鏡面加工し、残りの一部領域を粗面加工してもよい。例えば、第１反射部２１４ａの光源２１１に近い領域は鏡面加工し、表示パネル１００に近い領域は粗面加工する。
【０１８２】
第１反射部２１４ａは、表示パネル１００に重畳しないか又は表示パネル１００の非表示領域に重畳する長さに形成される。このとき、第１反射部２１４ａの出光面に出た光は表示パネル１００に直に入射する。第１反射部２１４ａと表示パネル１００が重畳しても、第１反射部２１４ａと表示パネル１００との間に下部カバー３２０の上部面３２８が位置する部分では、第１反射部２１４ａの出光面に出た光が表示パネル１００に直に入射することができない。従って、第１反射部２１４ａと表示パネル１００が重畳する部分の少なくとも一部領域には下部カバー３２０の上部面３２８が形成されないようにする。
【０１８３】
第１反射部２１４ａと連結部２１４ｃとの間には接着部材が設けられ、接着部材によって第１反射部２１４ａと連結部２１４ｃが固定される。例えば、接着部材は両面テープなどからなる。
【０１８４】
連結部２１４ｃは第１締結部材５１０によって回路基板２１２の上に固定される。また、本発明はこれに限定されず、両面テープによって連結部２１４ｃが回路基板２１２の上に固定されてもよい。
【０１８５】
次に、図３０を参照して、本発明の第８実施形態による表示装置について説明する。
【０１８６】
本発明の第８実施形態による表示装置は、第７実施形態と同一な部分が相当あるため、これについての説明は省略し、差異がある部分についてのみ以下で説明する。第７実施形態との最も大きな差異点は、反射カバー２１４の第１反射部２１４ａの上に反射シート２１９が更に形成されるという点であり、以下で更に詳しく説明する。
【０１８７】
図３０は、本発明の第８実施形態による表示装置の一部を示す拡大断面図である。
【０１８８】
本発明の第８実施形態による表示装置の反射カバー２１４は、第１反射部２１４ａ、第２反射部２１４ｂ、及び連結部２１４ｃを含む。
【０１８９】
第１反射部２１４ａは、全体的に透明樹脂モールド材質からなり、第１反射部２１４ａ上には反射シート２１９が更に形成されている。反射シート２１９は、反射性材質からなり、第１反射部２１４ａの一部領域上に付着される。特に、反射シート２１９は光源２１１に隣接した領域に位置するように付着される。例えば、第１反射部２１４ａの全体領域の中の光源２１１から近い半分程度の領域に反射シート２１９が付着される。他の例として、第１反射部２１４ａの全体領域の中の下部カバー３２０の上部面３２８に重畳する領域に反射シート２１９が付着されてもよい。反射シート２１９が付着された部分では第１反射部２１４ａを透過する光が略発生しなくなる。
【０１９０】
上記で、第１反射部２１４ａが全体的に透明樹脂モールド材質からなり、第１反射部２１４ａ上に反射シート２１９を付着すると説明したが、本発明はこれに限定されない。第１及び第６実施形態のように、第１反射部２１４ａが金属部と樹脂モールド部からなる場合にも、第１反射部２１４ａ上に反射シート２１９が付着されてもよい。
【０１９１】
次に、図３１を参照して、本発明の第９実施形態による表示装置について説明する。
【０１９２】
本発明の第９実施形態による表示装置は、第７実施形態と同一な部分が相当あるため、これについての説明は省略し、差異がある部分についてのみ以下で説明する。第７実施形態との最も大きな差異点は、光源２１１から出る光の主出射方向６００が表示パネル１００と平行でないという点であり、以下で更に詳しく説明する。
【０１９３】
図３１は、本発明の第９実施形態による表示装置の一部を示す拡大断面図である。
【０１９４】
本発明の第９実施形態による表示装置の下部カバー３２０の第１側面３２４ａの一部領域は、表示パネル１００に対して垂直な方向と所定の角をなすように形成される。
【０１９５】
例えば、下部カバー３２０の第１側面３２４ａは折り曲げられた形態に形成され、第１底面３２２ａに連結される部分では、第１側面３２４ａが表示パネル１００に対して垂直な方向に形成される。この部分は、上部カバー３１０によって覆われ、上部カバー３１０と下部カバー３２０の結合地点として用いられる。
【０１９６】
次に、第１側面３２４ａが折り曲げられて表示パネル１００に対して垂直な方向と所定の角をなすように形成される。この部分は、回路基板２１２と連結され、回路基板２１２の前面に光源２１１が形成される。従って、光源２１１から出る光の主出射方向６００は表示パネル１００に対して平行でなく、所定の角をなすようになる。光源２１１は光の主出射方向６００が下部カバー３２０の底面に向かうように配置される。これによって、光源２１１から出て表示パネル１００に直接入射する光量を更に減らして、表示パネル１００の縁で発生する光漏れを防止することができる。
【０１９７】
図３１に示すように、光源２１１は回路基板２１２の前面で上側に位置するように配置される。勿論、上述の実施形態に関する図面に示すように、光源２１１が回路基板２１２の前面で中間に位置するように配置されてもよい。即ち、回路基板２１２上の光源２１１の位置はどのようにでも変形が可能である。
【０１９８】
光の主出射方向６００の上側を囲むように形成される第１反射部２１４ａは曲がった形態に形成され、上に凸の形態に形成される。
【０１９９】
第１反射部２１４ａは、上述の実施形態で説明したように、少なくとも一部が光の一部を透過させる材質からなる。例えば、第１反射部２１４ａの少なくとも一部がポリカーボネート（ＰＣ）又はポリメチルメタクリレート（ＰＭＭＡ）からなる。第１反射部２１４ａの全体が透明樹脂モールド材質からなってもよく、第１反射部２１４ａの一部領域に反射シートが付着されてもよい。
【０２００】
また、第１反射部２１４ａの全体が反射性材質からなってもよい。但し、第１反射部２１４ａの全体が反射性材質からなる場合には第１反射部２１４ａの長さが更に短く形成されるのが好ましい。
【０２０１】
次に、図３２を参照して、本発明の第１０実施形態による表示装置について説明する。
【０２０２】
本発明の第１０実施形態による表示装置は、第９実施形態と同一な部分が相当あるため、これについての説明は省略し、差異がある部分についてのみ以下で説明する。第９実施形態との最も大きな差異点は、第１反射部の形状であり、以下で更に詳しく説明する。
【０２０３】
図３２は、本発明の第１０実施形態による表示装置の一部を示す拡大断面図である。
【０２０４】
本発明の第１０実施形態による表示装置の光源２１１は、光の主出射方向６００が下部カバー３２０の底面に向かうように配置され、光源２１１から出る光の主出射方向６００が表示パネル１００に対して平行でなく、所定の角をなすようになる。
【０２０５】
光の主出射方向６００の上側を囲むように形成される第１反射部２１４ａは曲がった形態に形成され、下に凸の形態に形成される。
【０２０６】
第１反射部２１４ａの材質は上述のように多様に変形が可能である。
【０２０７】
次に、図３３を参照して、本発明の第１１実施形態による表示装置について説明する。
【０２０８】
本発明の第１１実施形態による表示装置は、第９実施形態と同一な部分が相当あるため、これについての説明は省略し、差異がある部分についてのみ以下で説明する。第９実施形態との最も大きな差異点は、第１反射部の形状であり、以下で更に詳しく説明する。
【０２０９】
図３３は、本発明の第１１実施形態による表示装置の一部を示す拡大断面図である。
【０２１０】
本発明の第１１実施形態による表示装置の光源２１１は、光の主出射方向６００が下部カバー３２０の底面に向かうように配置され、光源２１１から出る光の主出射方向６００が表示パネル１００に対して平行でなく、所定の角をなすようになる。
【０２１１】
光の主出射方向６００の上側を囲むように形成される第１反射部２１４ａは曲がらずに、扁平に形成される。第１反射部２１４ａは光の主出射方向６００と並行な方向に形成される。
【０２１２】
第１反射部２１４ａの材質は上述のように多様に変形が可能である。
【０２１３】
第９実施形態〜第１１実施形態で、光源は光の主出射方向が表示パネルと所定の角をなすように配置されている。以下では、図３４を参照して、光の主出射方向と表示パネルがなす角によって変化する入光部の輝度について説明する。
【０２１４】
図３４は、光の主出射方向と表示パネルがなす角が０度、１０度、及び２０度である場合の光源からの距離による輝度を示すグラフである。
【０２１５】
光の主出射方向と表示パネルがなす角が０度である場合、即ち光の主出射方向が表示パネルと並行な場合には、光源からの距離が約３０ｍｍ〜５０ｍｍの間の地点で非常に高い輝度を示す部分が発生する。即ち、入光部付近で光漏れが発生する。
【０２１６】
光の主出射方向と表示パネルがなす角が１０度である場合は、０度である場合と比較して、光源からの距離が約３０ｍｍ〜５０ｍｍの間の地点で輝度が減ったことを確認することができる。即ち、光の主出射方向が表示パネルと所定の角を有するように光源を配置することによって、入光部の光漏れを減らすことができる。
【０２１７】
光の主出射方向と表示パネルがなす角が２０度である場合は、１０度の場合と比較して、光源からの距離が約３０ｍｍ〜５０ｍｍの間の地点で輝度が更に減り、他の地点と輝度が類似しているか又は更に低いことを確認することができる。従って、光の主出射方向と表示パネルがなす角が２０度を超過すると、入光部で暗部として視認されることもあることが予想される。
【０２１８】
従って、光源は、光の主出射方向が表示パネルと０度超過２０度以下の角をなすように配置されるのが好ましい。
【０２１９】
第９実施形態〜第１１実施形態で、第１反射部の形状はそれぞれ相違している。以下、図３５を参照して、第１反射部の形状によって変化する入光部の輝度について説明する。
【０２２０】
図３５は、第１反射部の形状が扁平な場合に、下に凸の場合及び上に凸の場合の光源からの距離による輝度を示すグラフである。
【０２２１】
第９実施形態では第１反射部が上に凸の形態に形成され、第１０実施形態では第１反射部が下に凸の形態に形成され、第１１実施形態では第１反射部が扁平に形成されている。
【０２２２】
光源からの距離が約３０ｍｍ〜４０ｍｍの間の地点での輝度は、第１反射部の形状が下に凸又は上に凸の場合が、扁平な場合に比べて更に高いことを確認することができる。
【０２２３】
従って、第１反射部の形状による入光部の輝度差は大きくはないが、特に第１反射部の形状が扁平な場合より曲がった形状の場合に入光部の暗部減少に有利である。
【０２２４】
次に、図３６を参照して、本発明の第１２実施形態による表示装置について説明する。
【０２２５】
本発明の第１２実施形態による表示装置は、第７実施形態と同一な部分が相当あるため、これについての説明は省略し、差異がある部分についてのみ以下で説明する。第７実施形態との最も大きな差異点は、反射板が別途に形成されないという点であり、以下で更に詳しく説明する。
【０２２６】
図３６は、本発明の第１２実施形態による表示装置の一部を示す拡大断面図である。
【０２２７】
本発明の第１２実施形態による表示装置では、反射板が別途に形成されず、反射カバー２１４の第２反射部２１４ｂが更に長く形成される。特に第２反射部２１４ｂは表示パネル１００の表示領域全体に重畳するように形成される。第２反射部２１４ｂは第２締結部材５２０によって下部カバー３２０の第２底面３２２ｃに固定され、第２反射部２１４ｂは固定された地点から下部カバー３２０の第２側面３２４ｂに至るまで下部カバー３２０の真上に位置する。下部カバー３２０の第２折曲部３２６ｂで第２反射部２１４ｂも共に折り曲げられるように形成される。下部カバー３２０の第２傾斜部３２２ｄ上に位置している第２反射部２１４ｂは、第２傾斜部３２２ｄの傾斜に沿って傾いた形態に位置する。
【０２２８】
次に、図３７を参照して、本発明の第１３実施形態による表示装置について説明する。
【０２２９】
本発明の第１３実施形態による表示装置は、第７実施形態と同一な部分が相当あるため、これについての説明は省略し、差異がある部分についてのみ以下で説明する。第７実施形態との最も大きな差異点は、反射カバー２１４上に光調節パターンが形成されるという点であり、以下で更に詳しく説明する。
【０２３０】
図３７は、本発明の第１３実施形態による表示装置の一部を示す拡大断面図である。
【０２３１】
本発明の第１３実施形態による表示装置の反射カバー２１４の入光面上には光調節パターン２４０が更に形成される。
【０２３２】
表示パネル１００の上部面に出る光の分布が一部領域で特に明るい部分が示されることがある。このとき、光源２１１から表示パネル１００上の明るい部分に至る光の経路を逆追跡することができる。逆追跡された光の経路で、反射カバー２１４に接する地点に光調節パターン２４０を付着する。光源２１１から出た光が光調節パターン２４０に至ると、一部は光調節パターン２４０に吸収され、残りは反射されて表示パネル１００に入射する。従って、明るい部分として示された部分の光量を減らすことができ、表示パネル１００全体に亘る光の均一度を高めることができる。
【０２３３】
表示パネル１００の上部面の特に明るい部分は複数領域で示されることがあるため、光調節パターン２４０も複数地点に形成する。また、一部波長の光が明るく示される地点がある場合、一部波長の光量を減らすことができる光調節パターン２４０を使用する。
【０２３４】
図３７では、第７実施形態と同一な構造で光調節パターン２４０を追加した構造について説明しているが、本発明はこれに限定されない。光調節パターン２４０は、他の実施形態の構造に追加的に形成されてもよく、更に上述の比較例１及び比較例２の構造に追加的に形成されてもよい。即ち、多様な変形が可能である。
【０２３５】
以上、本発明の実施形態について図面を参照しながら詳細に説明したが、本発明は、上述の実施形態に限定されるものではなく、本発明の技術的範囲から逸脱しない範囲内で多様に変更実施することが可能である。
【符号の説明】
【０２３６】
１００    表示パネル
１１０    第１基板
１２０    第２基板
２００    バックライトアセンブリ
２１０    光源部
２１１    光源
２１２    回路基板
２１４    反射カバー
２１４ａ    第１反射部
２１４ｂ    第２反射部
２１４ｃ    連結部
２１５    金属部
２１６    モールド部
２１７    接着部材
２１８    第３締結部材
２１９    反射シート
２２０    光学シート
２２２    拡散シート
２２４    プリズムシート
２２６    保護シート
２３０    反射板
２４０    光調節パターン
３１０    上部カバー
３１５    モールドフレーム
３２０    下部カバー
３２２    底面
３２２ａ    第１底面
３２２ｂ    第１傾斜部
３２２ｃ    第２底面
３２２ｄ    第２傾斜部
３２２ｅ    第３底面
３２４    側面
３２４ａ    第１側面
３２４ｂ    第２側面
３２４ｃ    第３側面
３２６ａ    第１折曲部
３２６ｂ    第２折曲部
３２６ｃ    第３折曲部
３２６ｄ    第４折曲部
３２８    上部面
５００    開口部
５１０    第１締結部材
５２０    第２締結部材
６００    光の主出射方向
【図１】
2013191563.tif 000003
【図２】
2013191563.tif 000004
【図３】
2013191563.tif 000005
【図４】
2013191563.tif 000006
【図５】
2013191563.tif 000007
【図６】
2013191563.tif 000008
【図７】
2013191563.tif 000009
【図８】
2013191563.tif 000010
【図９】
2013191563.tif 000011
【図１０】
2013191563.tif 000012
【図１１】
2013191563.tif 000013
【図１２】
2013191563.tif 000014
【図１３】
2013191563.tif 000015
【図１４】
2013191563.tif 000016
【図１５】
2013191563.tif 000017
【図１６】
2013191563.tif 000018
【図１７】
2013191563.tif 000019
【図１８】
2013191563.tif 000020
【図１９】
2013191563.tif 000021
【図２０】
2013191563.tif 000022
【図２１】
2013191563.tif 000023
【図２２】
2013191563.tif 000024
【図２３】
2013191563.tif 000025
【図２４】
2013191563.tif 000026
【図２５】
2013191563.tif 000027
【図２６】
2013191563.tif 000028
【図２７】
2013191563.tif 000029
【図２８】
2013191563.tif 000030
【図２９】
2013191563.tif 000031
【図３０】
2013191563.tif 000032
【図３１】
2013191563.tif 000033
【図３２】
2013191563.tif 000034
【図３３】
2013191563.tif 000035
【図３４】
2013191563.tif 000036
【図３５】
2013191563.tif 000037
【図３６】
2013191563.tif 000038
【図３７】
2013191563.tif 000039